(57)【要約】【課題】遊技者がコインを投入することができるコイン投入ユニット、遊技機であって、コイン投入方法の選択の幅を広げ、遊技者が自身の体型や利き腕の違い等に応じて、投入しやすいコイン投入方法を適宜選択することができるコイン投入ユニット、遊技機を提供すること。【解決手段】このコイン投入ユニット１３は、略長方形の開口形状を呈し、コイン２１を投入可能とされた投入口１５と、投入口の一方の長辺側１５ａから投入されるコインに当接してそのコインの投入を補助する位置３８ｂと、他方の長辺側１５ｂから投入されるコインに当接してそのコインの投入を補助する位置３８ａとに移動可能に配置された補助壁部材１６とを有している。【選択図】図２
2008220461.tif 000002
【特許請求の範囲】
【請求項１】
略長方形の開口形状を呈し、コインを投入可能とされた投入口と、
該投入口の一方の長辺側から投入されるコインに当接してそのコインの投入を補助する位置と、他方の長辺側から投入されるコインに当接してそのコインの投入を補助する位置とに移動可能に配置された補助壁部材と、を有するコイン投入ユニット。
【請求項２】
前記補助壁部材が１つのみである請求項１に記載のコイン投入ユニット。
【請求項３】
前記移動がスライド移動である請求項１又は請求項２に記載のコイン投入ユニット。
【請求項４】
前記投入口の両長辺からそれぞれ外側に向けて延びるように形成されて、前記コインを前記投入口に案内するための案内路をさらに有する請求項１から請求項３のうちいずれか１項に記載のコイン投入ユニット。
【請求項５】
前記案内路の中心軸が前記投入口の長辺に対して非直角に構成されている請求項４に記載のコイン投入ユニット。
【請求項６】
遊技機を囲む枠体と、
該枠体の少なくとも一部に保持され、遊技媒体による遊技を演出する遊技装置体と、
該遊技装置体に対して一定距離離間して配置された前面透明板と、
該前面透明板の周囲を囲む装飾部材を保持し、前記枠体に対して前面開閉可能に揺動支持された装飾枠と、
請求項１から請求項５のうちいずれか１項に記載のコイン投入ユニットと、を有する遊技機。
【請求項７】
遊技機を囲む枠体と、
該枠体の少なくとも一部に保持され、遊技媒体による遊技を演出する遊技装置体と、
該遊技装置体に対して一定距離離間して配置された前面透明板と、
該前面透明板の周囲を囲む装飾部材を保持し、前記枠体に対して前面開閉可能に揺動支持された装飾枠と、
該装飾枠の幅方向中央から左右いずれかに偏った位置に配置された請求項５に記載のコイン投入ユニットと、を有し、
前記投入口の長辺が、遊技機の前後方向と略平行とされ、
前記投入口の長辺のうち前記装飾枠の幅方向中央側の長辺から延びる案内路の中心軸はその長辺から離れるほど前側に向かい、前記装飾枠の幅方向側方側の長辺から延びる案内路の中心軸はその長辺から離れるほど後側に向かうように構成されている遊技機。
【発明の詳細な説明】
【技術分野】
【０００１】
本発明は、コイン投入ユニット、遊技機に係り、特に遊技者が自身の体型や利き腕の違い等に応じてコイン投入方法を選択することができるコイン投入ユニット、遊技機に関する。
【背景技術】
【０００２】
パチンコ機等の遊技機では、弾球された球が遊技盤面上を流下して、その流下の過程で球が遊技盤面上のゲージ（釘ともいう。）や羽根車に衝突しつつ転回して流下方向が変化する。そして、遊技盤面上に配置された各種入賞口や入球口への球の入賞に基づき所定の景品獲得が可能に構成されており、遊技者は、弾球における自らの技量を発揮して、又は球の流下における偶然性を利用しつつ球の入賞、入球及び景品払出しを期待し、遊技を楽しむのである。
【０００３】
例えば、雀球機やアレンジボール機等の組合せ式パチンコ機は、コインを投入すると所定個数（例えば、１１個。）の球が封入循環状態で発射可能に準備される。そして、その球を１球ずつ狙いを定めて球発射して遊技を行うのである。遊技盤面上には、多数の入球口が配置されており、その多数の入球口のうちいずれの入球口に球が入球したかによって生じる組合せに基づき、遊技者に対して景品の払出しが行われるようになっている。組合せの態様によって景品数が異なり、その景品払出しはコインの払出し（排出又はクレジット等。）によって行われる。
【０００４】
このような組合せ式パチンコ機においては、所定個数の球の発射によって１回の遊技が終了する。遊技者は１回の遊技が終了するたびに次の遊技のためのコインを投入したり、複数回の遊技を行うために予めたくさんのコインを投入しておいたりする。したがって、遊技者が遊技機にコインを投入することが頻繁に行われ、また投入枚数も多量になることが多い。コインの投入しにくい遊技機はスムーズに遊技を行うことができず遊技者にストレスが溜まりやすいため、遊技者に敬遠されやすい。つまり、コインの投入のしやすさが遊技機の評価を左右する大きな一因となっている。
【０００５】
そこで、遊技者がコインを投入しやすいように、コインの投入口の長辺を遊技機の幅方向と平行にし、遊技者が投入しようとするコインに当接してコインの投入を補助する壁を投入口の奥に形成したコイン投入ユニットが従来より知られている。そのようなものの例として、例えば特許文献１に開示のものがある。
【０００６】
【特許文献１】特開２００２−９５７９１号公報
【発明の開示】
【発明が解決しようとする課題】
【０００７】
特許文献１に記載されたコイン投入ユニットは、投入口の奥の壁に押し当てながらコインを投入することができるというものであるが、コインを投入する遊技者の体型や利き腕はその遊技者によって様々であり、遊技者の体型や利き腕によってはその投入方法ではコインを投入しにくいと感じる場合もある。
【０００８】
また、特許文献１に記載のコイン投入ユニットでは、いったん遊技機に取り付けてしまうとコインの投入方法が略必然的に定まってしまい、遊技者の体型や利き腕の違い等から生じる好みの違いに柔軟に対応することができないという問題がある。
【０００９】
本発明は上記の事情に鑑みて為されたもので、遊技者がコインを投入することができるコイン投入ユニット、遊技機であって、コイン投入方法の選択の幅を広げ、遊技者が自身の体型や利き腕の違い等に応じて、投入しやすいコイン投入方法を適宜選択することができるコイン投入ユニット、遊技機を提供することを例示的課題とする。
【課題を解決するための手段】
【００１０】
上記の課題を解決するために、本発明の例示的側面としてのコイン投入ユニットは、略長方形の開口形状を呈し、コインを投入可能とされた投入口と、投入口の一方の長辺側から投入されるコインに当接してそのコインの投入を補助する位置と、他方の長辺側から投入されるコインに当接してそのコインの投入を補助する位置とに移動可能に配置された補助壁部材とを有する。
【００１１】
補助壁部材がコインの投入を補助する位置に移動可能に配置されているので、遊技者はその位置に補助壁部材を移動させたうえで、コインを補助壁部材に当接させれば円滑にコインを投入することができる。また、補助壁部材が投入口の一方の長辺側から投入されるコインに当接してそのコインの投入を補助する位置と、他方の長辺側から投入されるコインに当接してそのコインの投入を補助する位置とに移動可能に配置されているので、補助壁部材を移動させれば、投入口のどちら側からでも補助壁部材に当接させてコインを投入することができる。したがって、遊技者は自身の好みに合ったコインの投入方向（投入方法）を選択することができる。
【００１２】
ここで、投入を補助するとは、コインの位置や向きを投入に適した状態にして円滑なコイン投入を可能とすることをいい、例えば、遊技者が補助壁部材にコインを当接させれば、その位置や向きが補正され、そのままコインを落下させれば投入口内にコインを落下させることができるようにすることをいう。
【００１３】
補助壁部材が１つのみであってもよい。補助壁部材が１つのみであるので、コイン投入ユニットの部品点数削減、製造コスト低下に寄与することができる。
【００１４】
移動がスライド移動であってもよい。移動がスライド移動であるので、補助壁部材をスライド移動させるだけでコインの投入方向を変更することができる。さらに、補助壁部材がコインの当接方向にスライド移動するように構成すれば、投入口のどちら側からコインを当接させても、壁部材が自然にコインの投入を補助する位置に移動するようにできる。したがって、遊技者は補助壁部材の位置を気にすることなくコインを投入することができるようになり、大変便利である。
【００１５】
投入口の両長辺からそれぞれ外側に向けて延びるように形成されて、コインを投入口に案内するための案内路をさらに有していてもよい。投入口の両長辺からそれぞれ外側に向けて延びるように案内路が形成されているので、遊技者は両長辺のどちら側からでもコインを投入口に向けて案内することができるので便利である。遊技者は自身の利き腕や体型に合わせて、両長辺のどちら側からコインを案内するかを選択することができる。
【００１６】
案内路の中心軸が投入口の長辺に対して非直角に構成されていてもよい。案内路の中心軸が投入口の長辺に対して非直角に構成されているので、コイン投入口の長辺に対して非直角となる方向、つまり長辺に対して斜め方向からコインを投入可能となる。したがって、コイン投入口の遊技機に対する取付け方向に拘泥されることなく、遊技者が自然な動作でコインを投入できる角度で案内路を形成することができる。
【００１７】
本発明の他の例示的側面としての遊技機は、遊技機を囲む枠体と、枠体の少なくとも一部に保持され、遊技媒体による遊技を演出する遊技装置体と、遊技装置体に対して一定距離離間して配置された前面透明板と、前面透明板の周囲を囲む装飾部材を保持し、枠体に対して前面開閉可能に揺動支持された装飾枠と、上記コイン投入ユニットとを有する。
【００１８】
遊技機が、コインの投入を補助する補助壁部材を有するコイン投入ユニットを有しているので、遊技者は、円滑にコインを投入することができる。また、そのコイン投入ユニットの補助壁部材が移動可能とされているので、遊技者はコインを円滑に投入口に投入することができるとともに、コインの投入方法を選択することもできる。したがって、遊技者はコイン投入について、ストレスをあまり感じることなく快適に遊技を行うことができる。
【００１９】
本発明のさらに他の例示的側面としての遊技機は、遊技機を囲む枠体と、枠体の少なくとも一部に保持され、遊技媒体による遊技を演出する遊技装置体と、遊技装置体に対して一定距離離間して配置された前面透明板と、前面透明板の周囲を囲む装飾部材を保持し、枠体に対して前面開閉可能に揺動支持された装飾枠と、装飾枠の幅方向中央から左右いずれかに偏った位置に配置された上記コイン投入ユニットとを有し、投入口の長辺が、遊技機の前後方向と略平行とされ、投入口の長辺のうち装飾枠の幅方向中央側の長辺から延びる案内路の中心軸はその長辺から離れるほど前側に向かい、装飾枠の幅方向側方側の長辺から延びる案内路の中心軸はその長辺から離れるほど後側に向かうように構成されている。
【００２０】
移動可能とされた補助壁部材を有するコイン投入ユニットを有しているので、遊技者はコインを円滑に投入口に投入することができるとともに、コインの投入方向を選択することができる。したがって、遊技者はコイン投入について、ストレスをあまり感じることなく快適に遊技を行うことができる。
【００２１】
また、投入口の長辺が、遊技機の奥行方向と略平行とされ、投入口の長辺のうち装飾枠の幅方向中央側の長辺から延びる案内路の中心軸はその長辺から離れるほど前側に向かい、装飾枠の幅方向側方側の長辺から延びる案内路の中心軸はその長辺から離れるほど奥側に向かうように構成されているので、遊技者はより自然な動作でコインを投入することができる。遊技機の幅方向中央側からコインを投入する場合には、コインを中央側の案内路に沿わせて斜め前方に押し出すように案内すればよく、遊技機の幅方向側方側からコインを投入する場合には、コインを側方側の案内路に沿わせて自身に引き寄せるように案内すればよい。
【００２２】
本発明の更なる目的又はその他の特徴は、以下添付図面を参照して説明される好ましい実施の形態によって明らかにされるであろう。
【発明の効果】
【００２３】
本発明によれば、コインを投入可能とされた投入口の一方の長辺側から投入されるコインに当接してそのコインの投入を補助する位置と、他方の長辺側から投入されるコインに当接してそのコインの投入を補助する位置とに移動可能に配置された補助壁部材を設けることで、遊技者が投入口のどちら側から投入した場合でもコイン投入を円滑に行えるようにするとともに、遊技者が自身の好む投入方法を選択できるようなコイン投入ユニットを提供することができる。さらに、投入口の両長辺からそれぞれ外側に向けてコインを案内するための案内路を形成することで、投入口のどちら側からでもコインを円滑に投入可能とすることができる。
【発明を実施するための最良の形態】
【００２４】
［実施の形態１］
以下、本発明の実施の形態１について図面を用いて説明する。図１は、本発明の実施の形態１に係る遊技機としての雀球機２の外観斜視図である。この雀球機２は、筐体枠（枠体の一部）４、遊技盤（遊技装置体）６、機枠８（枠体の一部。）、前面ガラス（前面透明板）１０、装飾枠１２、コイン投入ユニット１３、ハンドル３０、受皿１７を有している。
【００２５】
遊技機は、コインを投入して遊技を行う遊技機であり、特にアレンジボール機等の組合せ式パチンコ機、封入循環式パチンコ機、等の種々のパチンコ機及びスロット機を含む。本実施の形態１においては、その中でも特に雀球機２を例示して説明する。
【００２６】
筐体枠４は、この雀球機２の周囲を囲む枠体であり、平面視略長方形に構成され、材料としては木材・樹脂・金属等が適用可能である。筐体枠４は、雀球機２の上下面及び左右側面を囲み、前方から見て左側面側には機枠８及び装飾枠１２を揺動支持するためのヒンジ部（揺動支持部）１８が設けられている。
【００２７】
遊技盤６は、この雀球機２において、遊技媒体としての球２０の流下による遊技を実現するための遊技装置体である。遊技盤６の遊技盤面６ａ上には、ランプ２２、通過口（ゲート）２４、入球口２６等の多数の役物が配置されている。また、遊技盤面６ａの下方部分には、各々所定の麻雀牌に対応して多数の下部入球口２８が横一列に並んで配置されている。
【００２８】
遊技盤面６ａには、球２０の流下方向を変化させるための多数のゲージ（障害釘、図示せず。）も配置されており、遊技盤面６ａ上を流下する球２０がゲージに衝突しつつ通過口２４を通過したり入球口２６，２８に入球したりすることによって、遊技が演出されるが、これら役物についての詳細な説明は省略する。
【００２９】
機枠８は、遊技盤６を保持するための枠体で、筐体枠４の前方に配置されてヒンジ部１８において筐体枠４に揺動支持され、筐体枠４に対して前面開閉可能とされている。
【００３０】
機枠８の下方部分には、遊技盤６に向けて球２０を発射するためのハンドル３０が設けられている。ハンドル３０は、遊技者の手動操作に基づいて回転可能とされた球発射用のハンドルであって、回転支軸部３０ａ、レバー部３０ｂを有して構成されている。
【００３１】
レバー部３０ｂは、ハンドル３０の回転中心となる回転支軸部３０ａから回転半径方向に向けて延長された部分であって、遊技者が手で直接操作する部分である。遊技者がハンドル３０を所定方向（矢印Ｘの方向。）に所定量回転させ、手を離すと遊技盤面上に球２０が発射されるようになっている。本実施の形態１においては、ハンドル３０の回転量に応じた強度で球２０が発射されるようになっている。
【００３２】
なお、この雀球機２においては、所定個数（例えば、１１個。）の球２０が機内に封入循環されており、遊技盤６に向けて発射された球２０が遊技盤面６ａを流下し、所定の球経路を通って球供給装置へと導かれ、その球供給装置によって再び球発射位置へと送り出されるようになっている。
【００３３】
前面ガラス１０は、遊技盤６に対して一定距離離間して配置された透明板である。前面ガラス１０は透明平板ガラスで形成され、遊技盤６との間に球２０が流下する流下空間を形成する機能、遊技者が前面ガラス１０を通して遊技盤６を視認できるように視認性を確保する機能、遊技者が遊技盤６に不正にアクセス（接触）できないように不正アクセスを防止する機能、を発揮する。
【００３４】
装飾枠１２は、前面ガラス１０とその周囲を囲む装飾部材３６とを保持するための枠体である。その装飾枠１２は、機枠８の前面側に配置されてヒンジ部１８において機枠８とともに筐体枠４に揺動支持され、機枠８に対して前面開閉可能とされている。
【００３５】
装飾枠１２の略中央部には遊技者の視認確保のために大きく開口された中央開口１２ａが形成され、その中央開口１２ａに前面ガラス１０が取り付けられている。
【００３６】
中央開口１２ａの下方には前方（遊技者側）に膨出する膨出部１２ｂが形成され、その膨出部１２ｂにコイン投入ユニット１３、液晶表示部３２ａ、操作ボタン３２ｂが配置されている。
【００３７】
コイン投入ユニット１３は、装飾枠１２の幅方向中央から左に偏った位置に配置されている。本実施の形態１ではコイン投入ユニット１３を左に偏らせているが、右に偏らせて配置してももちろん構わない。図２（ａ）に示すようにコイン投入ユニット１３は、案内部材１４、壁部材（補助壁部材）１６、を有して大略構成されている。案内部材１４には、投入口１５、左案内溝（案内路）１４ａ、右案内溝（案内路）１４ｂが形成されている。
【００３８】
投入口１５は略長方形の開口形状を呈しており、遊技開始のためにコイン２１を投入するための開口である。投入口１５から投入されたコイン２１は略垂直に落下し、遊技機内に収容される。本実施の形態１では、所定枚数（例えば、３枚。）のコインで１回の遊技が行えるようになっており、所定枚数のコイン２１を投入口１５に投入することで遊技を開始することができるようになっている。投入口１５は、その長辺１５ａ，１５ｂが雀球機２の前後方向と略平行とされており、コイン２１の円形面を雀球機２の前後方向と略平行にして立設させた状態でコイン２１を投入できるようになっている。
【００３９】
左案内溝１４ａ、右案内溝１４ｂは、投入口１５の長辺１５ａ、１５ｂから外側に向けて延びるように形成された溝であり、コイン２１を投入口１５に円滑に案内するためのものである。具体的には、左案内溝１４ａ、右案内溝１４ｂにコイン２１の円形面が雀球機２の前後方向と平行になるように立設させ、そのまま投入口１５に向けて溝に沿って案内すると、投入口１５にそのコイン２１が落下するようになっている。投入口１５の左右両側に溝が形成されているので、遊技者は投入口の左右どちら側からでもコイン２１を円滑に案内して投入することができる。
【００４０】
壁部材１６は、投入口１５の近傍に配置されている。壁部材１６は、案内部材１４に対してスライド移動可能とされ、投入口１５の左側（長辺１５ａ側）に位置する第１の補助位置３８ａと、投入口１５の右側（長辺１５ｂ側）に位置する第２の補助位置３８ｂ（図２（ｂ）を参照。）との間をスライド移動することができる。投入口１５の短辺１５ｃ，１５ｄの外側それぞれにその短辺１５ｃ，１５ｄと平行に形成されたガイド溝４０ａ，４０ｂに壁部材１６の凸部１６ａ，１６ｂが嵌まっており、壁部材１６がガイド溝４０ａ，４０ｂに沿って移動することでスライド移動可能となっている。
【００４１】
壁部材１６は、第１の補助位置３８ａに位置する場合、右案内溝１４ｂに沿って案内されたコイン２１に対して当接し、そのコイン２１の投入口１５への投入を補助する機能を有する。壁部材１６には、右案内溝１４ｂに沿って案内されたコイン２１に当接する第１の当接面１６ｃが形成されている。第１の当接面１６ｃは、壁部材１６が第１の補助位置にある場合に、投入口１５の長辺１５ａと略平行な鉛直面としてその長辺１５ａの上方に位置するように構成されている。第１の当接面１６ｃに当接されたコイン２１は、その円形面が長辺１５ａと略平行な鉛直面となるように向きが補正されるとともに、投入口１５の上方に位置することとなる。したがって、遊技者はそのままコイン２１を落下させれば、円滑にコイン２１を投入することができるようになっている。
【００４２】
壁部材１６は、第２の補助位置３８ｂに位置する場合、左案内溝１４ａに沿って案内されたコイン２１に対して当接し、そのコイン２１の投入口１５への投入を補助する機能を有する。壁部材１６には、左案内溝１４ａに沿って案内されたコイン２１に当接する第２の当接面１６ｄが形成されている。第２の当接面１６ｄは、壁部材１６が第２の補助位置にある場合に、投入口１５の長辺１５ｂと略平行な鉛直面としてその長辺１５ｂの上方に位置するように構成されている。第２の当接面１６ｄに当接されたコイン２１は、その円形面が長辺１５ｂと略平行な鉛直面となるように向きが補正されるとともに、投入口１５の上方に位置することとなる。したがって、遊技者はそのままコイン２１を落下させれば、円滑にコイン２１を投入することができるようになっている。
【００４３】
さらに、壁部材１６が第１の補助位置３８ａにあるとき、つまり右案内溝１４ｂに沿って案内されたコイン２１の投入を補助する位置にあるときに、遊技者が反対側の左案内溝１４ａに沿ってコイン２１を案内して第２の当接面１６ｄにコイン２１を当接させた場合であっても、コイン２１の当接によって壁部材１６はスライド移動し、コイン２１の投入を補助する第２の補助位置に移動する。そして、壁部材１６が第２の補助位置３８ｂにあるときも同様に、右案内溝１４ｂに沿って案内されたコイン２１の投入を補助することができる。
【００４４】
したがって、遊技者は壁部材１６が第１の補助位置にあるのか第２の補助位置にあるのかを気にすることなく、自身の利き腕や体型にあった投入方向からコイン２１を投入することができる。
【００４５】
本実施の形態１では、投入口１５と左右案内溝１４ａ，１４ｂとがどちらも案内部材１４に形成されているが、これらを別々の部材に形成しても構わない。また、本実施の形態１では、当接面１６ｃ，１６ｄが投入口１５の長辺１５ａ，１５ｂの略鉛直延長線上に位置してコイン投入を補助する機能を発揮しているが、当接面１６ｃ，１６ｄの位置は長辺１５ａ，１５ｂよりも内側であっても同様の機能を発揮することができる。さらに、本実施の形態１では当接面１６ｃ，１６ｄを鉛直平面としているが、傾きを有する平面として形成してももちろん構わない。
【００４６】
投入口１５から所定枚数のコイン２１が投入されると、この雀球機２による遊技が開始可能となり、液晶表示部３２ａに所定個数の麻雀牌図柄が手持ち牌として配牌されて画像表示される。
【００４７】
遊技者が操作ボタン３２ｂの操作により手持ち牌の中から不要牌を選択すると、球発射可能となり、遊技者がハンドル３０を手動操作して球発射を行い、球２０が１つの下部入球口２８に入球すると、その下部入球口２８に対応する麻雀牌図柄が液晶表示部３２ａ上に表示され、手持ち牌に補充される。
【００４８】
再び遊技者が不要牌を選択して球発射を行い、球２０が入球した下部入球口２８に対応する麻雀牌が補充される。この操作を所定回数（例えば、１１回。）繰り返した結果、手持ち牌が所定のアガリ役になっていれば、景品としてのコイン２１が受皿１７に向けて払い出される。
【００４９】
以上のようにして一連の遊技が行われるのであるが、この雀球機２において遊技者は一連の遊技を行うたびにコイン２１を投入口１５に投入することとなり、遊技者がストレスを感じないようにコイン２１を投入できるようにすることが重要となる。
【００５０】
本実施の形態１に係る雀球機２のコイン投入ユニット１３においては、遊技者は左案内溝１４ａに沿ってコイン２１を案内してコイン２１を投入するか、右案内溝１４ｂに沿ってコイン２１を案内してコイン２１を投入するかを選択することができる。つまり、遊技者は自身の利き腕や体型に合わせてコイン２１の投入方法（投入方向）を選択できるため、ストレスを感じることなくコインを投入することができるようになっている。
【００５１】
なお、本実施の形態１では投入口１５を、その長辺１５ａ，１５ｂが雀球機２の前後方向と平行となるように構成しているが、雀球機２の幅方向と平行にして、投入口１５の前後からコイン２１を投入できるように構成しても構わない。
【００５２】
［実施の形態２］
以下、本発明の実施の形態２について図面を用いて説明する。図３（ａ）は、本発明の実施の形態２に係る遊技機としての雀球機１０２のコイン投入ユニット１１３部分を拡大した部分拡大図である。雀球機１０２は筐体枠（枠体の一部、図示せず。）、遊技盤（図示せず。）、機枠（枠体の一部、図示せず。）、前面ガラス（前面透明板、図示せず。）、装飾枠１１２、コイン投入ユニット１１３、ハンドル（図示せず。）、受皿（図示せず。）を有している。
【００５３】
このうち筐体枠、遊技盤、機枠、前面ガラス、装飾枠１１２、ハンドル、受皿の機能・構成については実施の形態１と略同様であるので詳細は省略する。
【００５４】
コイン投入ユニット１１３は、装飾枠１１２の幅方向中央から左に偏った位置に配置されている。コイン投入ユニット１１３は、案内部材１１４、壁部材（補助壁部材）１１６、を有して構成されている。案内部材１１４には投入口１１５、左案内溝（案内路）１１４ａ、右案内溝（案内路）１１４ｂが形成されている。
【００５５】
投入口１１５は略長方形の開口形状を呈しており、遊技開始のためにコイン１２１を投入するための開口である。投入口１１５から投入されたコイン１２１は略垂直に落下し、遊技機内に収容される。本実施の形態２では、所定枚数（例えば、３枚。）のコイン１２１で１回の遊技が行えるようになっており、コイン１２１を所定枚数投入口１１５に投入することで遊技を開始することができるようになっている。投入口１１５は、その長辺１１５ａ，１１５ｂが雀球機１０２の前後方向と略平行とされており、コイン１２１の円形面を雀球機１０２の前後方向と略平行にして立設させた状態でコイン１２１を投入できるようになっている。
【００５６】
左案内溝１１４ａ、右案内溝１１４ｂは、投入口１１５の長辺１１５ａ、１１５ｂから外側に向けて延びるように形成された溝であり、コイン１２１を投入口１１５に円滑に案内するためのものである。具体的には、左案内溝１１４ａ、右案内溝１１４ｂにコイン１２１の円形面が雀球機１０２の奥行方向と平行になるように立設させ、そのまま投入口１５に向けて溝に沿って案内すると、投入口１１５にそのコイン１２１が落下するようになっている。投入口１１５の左右両側に溝が形成されているので、遊技者は投入口の左右どちら側からでもコイン１２１を円滑に案内して投入させることができる。
【００５７】
装飾枠１１２の幅方向側方側の長辺１１５ａから延びる溝である左案内溝１１４ａの中心軸１１４ｃは、長辺１１５ａから離れるほど後側に向かうように構成されている。したがって、遊技者は投入口１１５の左側からコイン１２１を投入する場合には、左案内溝１１４ａ上のコイン１２１を自身のほうに引き寄せるようにして案内するようになっている。遊技者はコイン１２１を自身のほうに引き寄せるという自然な動作でコイン１２１を投入することができるのでストレスを感じにくくなる。
【００５８】
装飾枠１１２の幅方向中央側の長辺１１５ｂから延びる溝である右案内溝１１４ｂの中心軸１１４ｄは、長辺１１５ｂから離れるほど前側に向かうように構成されている。したがって、遊技者は投入口１１５の右側からコイン１２１を投入する場合には、右案内溝１１４ｂ上のコイン１２１を自身の斜め前方に押し出すようにして案内するようになっている。遊技者はコイン１２１を自身の斜め前方に押し出すという自然な動作でコイン１２１を投入することができるのでストレスを感じにくくなる。
【００５９】
したがって、遊技者は投入口１１５の左右どちらからコイン１２１を投入するか選択可能なうえに、左右どちらから投入する場合でも、自然な動作でコイン１２１を投入することができるので、一層ストレスを感じにくくなる。
【００６０】
壁部材１１６は、投入口１１５の近傍に第１の補助位置１３８ａと第２の補助位置１３８ｂ（図３（ｂ）を参照。）とにスライド移動可能に配置され、その機能・構成は本実施の形態１と略同様であるので詳細な説明は省略する。
【００６１】
以上、本発明の好ましい実施の形態を説明したが、本発明はこれらに限定されるものではなく、その要旨の範囲内で様々な変形や変更が可能である。
【図面の簡単な説明】
【００６２】
【図１】本発明の実施の形態１に係る雀球機の外観斜視図である。
【図２】図１の雀球機のコイン投入ユニット部分を拡大した部分拡大図であって、（ａ）壁部材が第２の補助位置に位置する状態を示す図、（ｂ）壁部材が第１の補助位置に位置する状態を示す図である。
【図３】本発明の実施の形態２に係る雀球機のコイン投入ユニット部分を拡大した部分拡大図であって、（ａ）壁部材が第２の補助位置に位置する状態を示す図、（ｂ）壁部材が第１の補助位置に位置する状態を示す図である。
【符号の説明】
【００６３】
２：雀球機（遊技機）
４：筐体枠（枠体）
６：遊技盤（遊技装置体）
６ａ：遊技盤面
８：機枠（枠体）
１０：前面ガラス（前面透明板）
１２：装飾枠
１２ａ：中央開口
１２ｂ：膨出部
１３：コイン投入ユニット
１４：案内部材
１４ａ：左案内溝（案内路）
１４ｂ：右案内溝（案内路）
１５：投入口
１５ａ，１５ｂ：長辺
１５ｃ，１５ｄ：短辺
１６：壁部材（補助壁部材）
１６ａ，１６ｂ：凸部
１６ｃ：第１の当接面
１６ｄ：第２の当接面
１７：受皿
１８：ヒンジ部（揺動支持部）
２０：球（遊技媒体）
２１：コイン
２２：ランプ
２４：通過口（ゲート）
２６：入球口
２８：下部入球口
３０：ハンドル
３０ａ：回転支軸部
３０ｂ：レバー部
３２ａ：液晶表示部
３２ｂ：操作ボタン
３６：装飾部材
３８ａ：第１の補助位置
３８ｂ：第２の補助位置
４０ａ，４０ｂ：ガイド溝
１０２：雀球機（遊技機）
１１２：装飾枠
１１３：コイン投入ユニット
１１４：案内部材
１１４ａ：左案内溝（溝）
１１４ｂ：右案内溝（溝）
１１４ｃ，１１４ｄ：中心軸
１１５：投入口
１１５ａ，１１５ｂ：長辺
１１６：壁部材（補助壁部材）
１２１：コイン
１３８ａ：第１の補助位置
１３８ｂ：第２の補助位置
【図１】
2008220461.tif 000003
【図２】
2008220461.tif 000004
【図３】
2008220461.tif 000005